(57)【特許請求の範囲】
【請求項１】
記録媒体から読み取られた読取信号をチャンネルクロック信号の各クロックタイミングに応じてサンプリングして得た読取サンプル値系列に波形等化処理を施して等化補正読取サンプル値系列を得る波形等化器であって、
前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、
前記補間読取サンプル値系列を所定の振幅制限値にて制限して振幅制限読取サンプル値系列を得る振幅制限手段と、
前記振幅制限読取サンプル値系列中の振幅制限読取サンプル値同士を夫々重み付け加算して出力するフィルタと、
前記読取サンプル値系列を遅延して遅延読取サンプル値系列を得る遅延手段と、
前記遅延読取サンプル値系列と前記フィルタの出力とを加算したものを前記等化補正読取サンプル値系列とする加算手段と、を有することを特徴とする波形等化器。
【請求項２】
前記振幅制限値は前記読取信号中における最短のレベル反転間隔を有する区間での信号レベルの最大値よりも大であることを特徴とする請求項１記載の波形等化器。
【請求項３】
前記最短のレベル反転間隔は、前記チャンネルクロック信号における１クロック周期の２倍であることを特徴とする請求項２記載の波形等化器。
【請求項４】
前記補間手段は、前記チャンネルクロック信号の２倍の周波数を有するクロックタイミングで前記読取信号をサンプリングすることにより前記補間読取サンプル値系列を得る２倍オーバーサンプリング回路であることを特徴とする請求項１記載の波形等化器。
【請求項５】
前記フィルタは、前記振幅制限読取サンプル値系列における高域成分の値を増加する高域強調フィルタであることを特徴とする請求項１記載の波形等化器。
【請求項６】
前記高域成分は、前記振幅制限読取サンプル値系列中における最短のレベル反転間隔を有する部分であることを特徴とする請求項５記載の波形等化器。
【請求項７】
前記フィルタは、［−ｋ、ｋ、ｋ、−ｋ］なるタップ係数を有するトランスバーサルフィルタであることを特徴とする請求項１記載の波形等化器。
【請求項８】
記録媒体から読み取られた読取信号をチャンネルクロック信号の各クロックタイミングに応じてサンプリングして得た読取サンプル値系列に波形等化処理を施して等化補正読取サンプル値系列を得る波形等化器であって、
前記読取サンプル値系列を所定の振幅制限値にて制限して振幅制限読取サンプル値系列を得る振幅制限手段と、
前記振幅制限読取サンプル値系列中の振幅制限読取サンプル値同士を夫々重み付け加算して出力するフィルタと、
前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、
前記補間読取サンプル値系列を遅延して遅延補間読取サンプル値系列を得る遅延手段と、
前記遅延補間読取サンプル値系列と前記フィルタの出力とを加算したものを前記等化補正読取サンプル値系列とする加算手段と、を有することを特徴とする波形等化器。
【請求項９】
前記振幅制限値は前記読取信号中における最短のレベル反転間隔を有する区間での信号レベルの最大値よりも大であることを特徴とする請求項８記載の波形等化器。
【請求項１０】
前記最短のレベル反転間隔は、前記チャンネルクロック信号における１クロック周期の２倍であることを特徴とする請求項９記載の波形等化器。
【請求項１１】
前記補間手段は、前記チャンネルクロック信号の２倍の周波数を有するクロックタイミングで前記読取信号をサンプリングすることにより前記補間読取サンプル値系列を得る２倍オーバーサンプリング回路であることを特徴とする請求項８記載の波形等化器。
【請求項１２】
前記フィルタは、前記振幅制限読取サンプル値系列における高域成分の値を増加する高域強調フィルタであることを特徴とする請求項８記載の波形等化器。
【請求項１３】
前記高域成分は、前記振幅制限読取サンプル値系列中における最短のレベル反転間隔を有する部分であることを特徴とする請求項１２記載の波形等化器。
【請求項１４】
前記フィルタは、［−ｋ、ｋ、ｋ、−ｋ］なるタップ係数を有するトランスバーサルフィルタであることを特徴とする請求項８記載の波形等化器。
【請求項１５】
記録媒体に記録されている情報信号を読み取って得られた読取信号に対して波形等化を行う波形等化器であって、
前記読取信号をチャンネルクロック信号の各クロックタイミングに応じてサンプリングして読取サンプル値系列を得るＡ／Ｄ変換器と、
前記読取サンプル値系列に基づき、前記読取信号を前記クロックタイミング各々の中間タイミングにてサンプリングした場合に得られるであろう読取サンプル値系列を求めてこれを補間読取サンプル値系列として得る補間手段と、
前記補間読取サンプル値系列を所定の振幅制限値にて制限して振幅制限読取サンプル値系列を得る振幅制限手段と、
前記振幅制限読取サンプル値系列をフィルタリング処理するフィルタと、からなることを特徴とする波形等化器。
【請求項１６】
前記振幅制限値は前記読取信号中における最短のレベル反転間隔を有する区間での信号レベルの最大値よりも大であることを特徴とする請求項１５記載の波形等化器。
【請求項１７】
前記最短のレベル反転間隔は、前記チャンネルクロック信号における１クロック周期の２倍であることを特徴とする請求項１６記載の波形等化器。
【請求項１８】
前記補間手段は、前記チャンネルクロック信号の２倍の周波数を有するクロックタイミングで前記読取信号をサンプリングすることにより前記補間読取サンプル値系列を得る２倍オーバーサンプリング回路であることを特徴とする請求項１５記載の波形等化器。
【請求項１９】
前記フィルタは、前記振幅制限読取サンプル値系列における高域成分の値を増加する高域強調フィルタであることを特徴とする請求項１５載の波形等化器。
【請求項２０】
前記高域成分は、前記振幅制限読取サンプル値系列中における最短のレベル反転間隔を有する部分であることを特徴とする請求項１９記載の波形等化器。
【請求項２１】
前記フィルタは、［−ｋ、ｋ、ｋ、−ｋ］なるタップ係数を有するトランスバーサルフィルタであることを特徴とする請求項１５記載の波形等化器。
【請求項２２】
記録媒体に記録されている情報信号を読み取って得られた読取信号に対して波形等化を行って等化補正読取信号を得る波形等化器であって、
前記読取信号をチャンネルクロック信号の各クロックタイミングに応じてサンプリングして読取サンプル値系列を得るＡ／Ｄ変換器と、
前記読取サンプル値系列に対して前記クロックタイミング各々の中間タイミングにて前記読取信号をサンプリングした場合に得られる読取サンプル値系列を補間して補間読取サンプル値系列を得る補間手段と、
前記補間読取サンプル値系列を所定の振幅制限値にて制限して振幅制限読取サンプル値系列を得る振幅制限手段と、
前記振幅制限読取サンプル値系列をフィルタリング処理するフィルタと、
前記フィルタによってフィルタリング処理して得られた信号に前記読取サンプル値系列を加算したものを前記等化補正読取信号として得る加算器と、からなることを特徴とする波形等化器。
【請求項２３】
記録媒体から記録情報の再生を行う記録情報再生装置であって、
前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、
前記波形等化器は、
前記読取信号をチャンネルクロック信号の各クロックタイミングに応じてサンプリングして得た読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、
前記補間読取サンプル値系列を所定の振幅制限値にて制限して振幅制限読取サンプル値系列を得る振幅制限手段と、
前記振幅制限読取サンプル値系列中の振幅制限読取サンプル値同士を夫々重み付け加算して出力するフィルタと、
前記読取サンプル値系列を遅延して遅延読取サンプル値系列を得る遅延手段と、
前記遅延読取サンプル値系列と前記フィルタの出力とを加算したものを前記等化補正読取サンプル値系列とする加算手段と、を備えることを特徴とする記録情報再生装置。
【請求項２４】
記録媒体から記録情報の再生を行う記録情報再生装置であって、
前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、
前記波形等化器は、
前記読取信号をチャンネルクロック信号の各クロックタイミングに応じてサンプリングして得た読取サンプル値系列を所定の振幅制限値にて制限して振幅制限読取サンプル値系列を得る振幅制限手段と、
前記振幅制限読取サンプル値系列中の振幅制限読取サンプル値同士を夫々重み付け加算して出力するフィルタと、
前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、
前記補間読取サンプル値系列を遅延して遅延補間読取サンプル値系列を得る遅延手段と、
前記遅延補間読取サンプル値系列と前記フィルタの出力とを加算したものを前記等化補正読取サンプル値系列とする加算手段と、を備えることを特徴とする記録情報再生装置。
【請求項２５】
記録媒体から記録情報の再生を行う記録情報再生装置であって、
前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、
前記波形等化器は、
前記読取信号をチャンネルクロック信号の各クロックタイミングに応じてサンプリングして読取サンプル値系列を得るＡ／Ｄ変換器と、
前記読取サンプル値系列に基づき、前記読取信号を前記クロックタイミング各々の中間タイミングにてサンプリングした場合に得られるであろう読取サンプル値系列を求めてこれを補間読取サンプル値系列として得る補間手段と、
前記補間読取サンプル値系列を所定の振幅制限値にて制限して振幅制限読取サンプル値系列を得る振幅制限手段と、
前記振幅制限読取サンプル値系列をフィルタリング処理するフィルタと、を備えることを特徴とする記録情報再生装置。
【請求項２６】
記録媒体から記録情報の再生を行う記録情報再生装置であって、
前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、
前記波形等化器は、
前記読取信号をチャンネルクロック信号の各クロックタイミングに応じてサンプリングして読取サンプル値系列を得るＡ／Ｄ変換器と、
前記読取サンプル値系列に対して前記クロックタイミング各々の中間タイミングにて前記読取信号をサンプリングした場合に得られる読取サンプル値系列を補間して補間読取サンプル値系列を得る補間手段と、
前記補間読取サンプル値系列を所定の振幅制限値にて制限して振幅制限読取サンプル値系列を得る振幅制限手段と、
前記振幅制限読取サンプル値系列をフィルタリング処理するフィルタと、
前記フィルタによってフィルタリング処理して得られた信号に前記読取サンプル値系列を加算したものを前記等化補正読取信号として得る加算器と、を備えることを特徴とする記録情報再生装置。
【発明の詳細な説明】
【０００１】
【発明の属する技術分野】
本発明は、記録媒体から記録情報の再生を行う記録情報再生装置における波形等化器および記録情報再生装置に関する。
【０００２】
【従来の技術】
ディジタルデータが高密度記録されている記録媒体から読み取られた読取信号のＳＮ比を改善すべく、かかる読取信号に対して高域を強調するフィルタリング処理を施して波形等化を行う技術が知られている。この際、読取信号に対する高域の強調を高めるほどＳＮ比の改善率を高めることが出来るが、高域を強調し過ぎると符号間干渉が増加してしまう。そこで、符号間干渉を増加させることなく高域強調をかけることができる波形等化器が特開平１１‐２５９９８５号公報によって提案された。
【０００３】
図１は、かかる特開平１１‐２５９９８５号公報によって提案された波形等化器を搭載した記録情報再生装置の構成を示す図である。
図１において、ピックアップ１は、例えばＤＶＤ（Ｄｉｇｉｔａｌ  Ｖｅｒｓａｔｉｌｅ  Ｄｉｓｃ）の如き記録ディスク２に８／１６変調されて記録されている情報信号を読み取って得られた読取信号をＡ／Ｄ変換器３に供給する。Ａ／Ｄ変換器３は、かかる読取信号をチャンネルクロックに応じたタイミングにてサンプリングし、この際得られたサンプル値の系列からなる読取サンプル値系列Ｒを波形等化器５に供給する。尚、上記チャンネルクロックとは、８／１６変調された情報信号における１Ｔ分の周期を有するクロックである。
【０００４】
波形等化器５の振幅制限回路５１は、かかる読取サンプル値系列Ｒを図２に示されるが如き振幅制限値Ｔｈ及び−Ｔｈにて振幅制限して得た振幅制限読取サンプル値系列ＲＬＩＭを高域強調フィルタ５２に供給する。すなわち、振幅制限回路５１は、読取サンプル値系列Ｒの各読取サンプル値が上記振幅制限値−Ｔｈ〜Ｔｈなる範囲内にある場合には、この読取サンプル値系列Ｒをそのまま上記振幅制限読取サンプル値系列ＲＬＩＭとして出力する。又、読取サンプル値系列Ｒの各読取サンプル値が振幅制限値Ｔｈよりも大である場合には、この振幅制限値Ｔｈ自体を振幅制限読取サンプル値系列ＲＬＩＭとして出力する。一方、読取サンプル値系列Ｒの各読取サンプル値が振幅制限値−Ｔｈよりも小である場合には、この振幅制限値−Ｔｈ自体を振幅制限読取サンプル値系列ＲＬＩＭとして出力する。尚、上記振幅制限値Ｔｈ及び−Ｔｈの各々は、図２に示されるように、８／１６変調における最短のレベル反転間隔（以下、ランレングスと称する）である３Ｔに対応した読取サンプル値系列Ｒのみが振幅制限に掛からないような値に設定されている。
【０００５】
高域強調フィルタ５２は、単位遅延素子ＦＤ１〜ＦＤ４と、係数乗算器Ｍ１、Ｍ２、Ｍ３及びＭ４と、これら係数乗算器各々の出力を加算する加算器ＡＤとから構成される。単位遅延素子ＦＤ１〜ＦＤ４は、夫々、入力された値を上記チャンネルクロックの１クロック周期分だけ遅延させてから出力する。係数乗算器Ｍ１、Ｍ２、Ｍ３及びＭ４は、夫々が乗算係数［−ｋ、ｋ、ｋ、−ｋ］を有する係数乗算器である。すなわち、高域強調フィルタ５２は、タップ係数が［−ｋ、ｋ、０、ｋ、−ｋ］なるトランスバーサルフィルタである。かかる構成により、高域強調フィルタ５２は、上記振幅制限読取サンプル値系列ＲＬＩＭの高域成分のみのレベルを増大させた高域強調読取サンプル値系列を生成し、これを加算器５４に供給する。
【０００６】
加算器５４は、かかる高域強調読取サンプル値系列と、遅延素子５３によってチャンネルクロックの２周期分だけ遅延してから供給された上記読取サンプル値系列Ｒとを加算し、その加算結果を等化補正読取サンプル値系列ＲＨとして出力する。
次に、上記波形等化器５の動作について説明する。
【０００７】
一般に、記録媒体から記録情報の再生を行う再生系はローパスフィルタ特性となる為、８／１６変調された信号中で最も高周波数のランレングス３Ｔに対応した読取サンプル値系列Ｒ中における各読取サンプル値はその値が低下する。そこで、最短のランレングス３Ｔに対応した読取サンプル値系列に対するＳＮ比を改善すべく、高域強調フィルタ５２により、このランレングス３Ｔに対応した読取サンプル値系列に対してのみ、その読取サンプル値各々の値を増大させる。ここで、上記高域強調フィルタ５２による高域強調後も図２に示されるが如きゼロクロス時点Ｄ０での等化補正読取サンプル値系列ＲＨの値はゼロレベル一定であることが望ましい。ところが、高域強調フィルタ５２は図１に示されるが如きタップ係数［−ｋ、ｋ、０、ｋ、−ｋ］なるトランスバーサルフィルタである為、例えば図２の時点Ｄ−２及び時点Ｄ−１各々での読取サンプル値が同一値でないと、ゼロクロス時点Ｄ０での等化補正読取サンプル値系列ＲＨの値が変動してしまう。特に、高域強調を強く掛けるべく上記タップ係数ｋの値を大きくすると、その変動分が更に大となり、これが符号間干渉の増加を招くのである。
【０００８】
そこで、振幅制限回路５１により、図２に示されるが如き振幅制限値Ｔｈ及び−Ｔｈにて、ランレングス４Ｔ以上の読取サンプル値系列Ｒに対して振幅制限を掛けたものを上記高域強調フィルタ５２に供給する。かかる振幅制限回路５１での振幅制限によれば、図２中の（ａ）に示されるように、読取信号のランレングスが３Ｔである場合には、補間読取サンプル値系列ＲＲが、そのまま振幅制限読取サンプル値系列ＲＬＩＭとして高域強調フィルタ５２に供給される。一方、ランレングス４Ｔ以上に対応した補間読取サンプル値系列ＲＲは、ゼロクロス時点Ｄ０近傍では振幅制限値−Ｔｈ〜Ｔｈなる範囲内に入っているが、それ以外の時点ではこの範囲を超えている。よって、読取信号のランレングスが４Ｔ以上の場合には、図２中の（ｂ）に示されるように、上記ゼロクロス時点Ｄ０以外の時点ではその値が振幅制限値−Ｔｈ又はＴｈに固定された振幅制限読取サンプル値系列ＲＬＩＭが高域強調フィルタ５２に供給される。
【０００９】
この際、ランレングス４Ｔ以上のいずれの場合においても、図２中の時点Ｄ−２、Ｄ−１（又はＤ１及びＤ２）各々での値は等しくなる。よって、例え上記タップ係数ｋの値を大にして高域強調を強く掛けても、ゼロクロス時点Ｄ０での等化補正読取サンプル値系列ＲＨの値変動は生じなくなり、符号間干渉の増加が抑制されるのである。
【００１０】
しかしながら、記録ディスク２に記録されている記録信号の変調方式が最短のランレングスが２Ｔとなる例えば（１、７）変調である場合には、図１に示されるが如き波形等化器５の構成では符号間干渉の増加を抑えることは出来ない。
図３は、最短のランレングスが２Ｔとなる変調方式にて情報信号が記録されている記録ディスク２から読み取られた読取サンプル値系列Ｒの波形形態の一例を示す図である。
【００１１】
図３の（ｂ）に示されるように、ランレングスが３Ｔ以上である場合には、振幅制限回路５１による振幅制限作用によって時点Ｄ−２、Ｄ−１、Ｄ１及びＤ２各々での振幅制限読取サンプル値は、略同一となる。
しかしながら、ランレングス２Ｔ、すなわち最短のレベル反転間隔がチャンネルクロック信号におけるクロック周期の２倍以下になると、図３（ａ）に示されるように、時点Ｄ−２及びＤ−１（又は、Ｄ２及びＤ１）各々での振幅制限読取サンプル値が同一値にならなくなる。従って、高域強調を強く掛けるべく上記タップ係数ｋの値を大きくすると、ゼロクロス時点Ｄ０での等化補正読取サンプル値系列ＲＨの値の変動分が更に増長され、これが符号間干渉の増大を招くのである。
【００１２】
【発明が解決しようとする課題】
本発明は、かかる問題を解決すべくなされたものであり、読取信号の最短ランレングスがチャンネルクロック信号におけるクロック周期の２倍以下であっても、符号間干渉を増大させることなく、この読取信号に対して高域強調をかけることができる波形等化器および記録情報再生装置を提供することを目的とする。
【００１３】
【課題を解決するための手段】
請求項１記載による波形等化器は、記録媒体から読み取られた読取信号をチャンネルクロック信号の各クロックタイミングに応じてサンプリングして得た読取サンプル値系列に波形等化処理を施して等化補正読取サンプル値系列を得る波形等化器であって、前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、前記補間読取サンプル値系列を所定の振幅制限値にて制限して振幅制限読取サンプル値系列を得る振幅制限手段と、前記振幅制限読取サンプル値系列中の振幅制限読取サンプル値同士を夫々重み付け加算して出力するフィルタと、前記読取サンプル値系列を遅延して遅延読取サンプル値系列を得る遅延手段と、前記遅延読取サンプル値系列と前記フィルタの出力とを加算したものを前記等化補正読取サンプル値系列とする加算手段と、を有する。
又、請求項８記載による波形等化器は、記録媒体から読み取られた読取信号をチャンネルクロック信号の各クロックタイミングに応じてサンプリングして得た読取サンプル値系列に波形等化処理を施して等化補正読取サンプル値系列を得る波形等化器であって、前記読取サンプル値系列を所定の振幅制限値にて制限して振幅制限読取サンプル値系列を得る振幅制限手段と、前記振幅制限読取サンプル値系列中の振幅制限読取サンプル値同士を夫々重み付け加算して出力するフィルタと、前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、前記補間読取サンプル値系列を遅延して遅延補間読取サンプル値系列を得る遅延手段と、前記遅延補間読取サンプル値系列と前記フィルタの出力とを加算したものを前記等化補正読取サンプル値系列とする加算手段と、を有する。
又、請求項１５記載による波形等化器は、記録媒体に記録されている情報信号を読み取って得られた読取信号に対して波形等化を行う波形等化器であって、前記読取信号をチャンネルクロック信号の各クロックタイミングに応じてサンプリングして読取サンプル値系列を得るＡ／Ｄ変換器と、前記読取サンプル値系列に基づき、前記読取信号を前記クロックタイミング各々の中間タイミングにてサンプリングした場合に得られるであろう読取サンプル値系列を求めてこれを補間読取サンプル値系列として得る補間手段と、前記補間読取サンプル値系列を所定の振幅制限値にて制限して振幅制限読取サンプル値系列を得る振幅制限手段と、前記振幅制限読取サンプル値系列をフィルタリング処理するフィルタと、からなる。
又、請求項２２記載による波形等化器は、記録媒体に記録されている情報信号を読み取って得られた読取信号に対して波形等化を行って等化補正読取信号を得る波形等化器であって、前記読取信号をチャンネルクロック信号の各クロックタイミングに応じてサンプリングして読取サンプル値系列を得るＡ／Ｄ変換器と、前記読取サンプル値系列に対して前記クロックタイミング各々の中間タイミングにて前記読取信号をサンプリングした場合に得られる読取サンプル値系列を補間して補間読取サンプル値系列を得る補間手段と、前記補間読取サンプル値系列を所定の振幅制限値にて制限して振幅制限読取サンプル値系列を得る振幅制限手段と、前記振幅制限読取サンプル値系列をフィルタリング処理するフィルタと、前記フィルタによってフィルタリング処理して得られた信号に前記読取サンプル値系列を加算したものを前記等化補正読取信号として得る加算器と、からなる。
又、請求項２３記載による記録情報再生装置は、記録媒体から記録情報の再生を行う記録情報再生装置であって、前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、前記波形等化器は、前記読取信号をチャンネルクロック信号の各クロックタイミングに応じてサンプリングして得た読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、前記補間読取サンプル値系列を所定の振幅制限値にて制限して振幅制限読取サンプル値系列を得る振幅制限手段と、前記振幅制限読取サンプル値系列中の振幅制限読取サンプル値同士を夫々重み付け加算して出力するフィルタと、前記読取サンプル値系列を遅延して遅延読取サンプル値系列を得る遅延手段と、前記遅延読取サンプル値系列と前記フィルタの出力とを加算したものを前記等化補正読取サンプル値系列とする加算手段と、を備える。
又、請求項２４記載による記録情報再生装置は、記録媒体から記録情報の再生を行う記録情報再生装置であって、前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、前記波形等化器は、前記読取信号をチャンネルクロック信号の各クロックタイミングに応じてサンプリングして得た読取サンプル値系列を所定の振幅制限値にて制限して振幅制限読取サンプル値系列を得る振幅制限手段と、前記振幅制限読取サンプル値系列中の振幅制限読取サンプル値同士を夫々重み付け加算して出力するフィルタと、前記読取サンプル値系列に基づき、前記読取信号を前記チャンネルクロック信号の中間のクロックタイミングに応じてサンプリングした際に得られるであろうサンプル値系列を補間読取サンプル値系列として求める補間手段と、前記補間読取サンプル値系列を遅延して遅延補間読取サンプル値系列を得る遅延手段と、前記遅延補間読取サンプル値系列と前記フィルタの出力とを加算したものを前記等化補正読取サンプル値系列とする加算手段と、を備える。
又、請求項２５記載による記録情報再生装置は、記録媒体から記録情報の再生を行う記録情報再生装置であって、前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、前記波形等化器は、前記読取信号をチャンネルクロック信号の各クロックタイミングに応じてサンプリングして読取サンプル値系列を得るＡ／Ｄ変換器と、前記読取サンプル値系列に基づき、前記読取信号を前記クロックタイミング各々の中間タイミングにてサンプリングした場合に得られるであろう読取サンプル値系列を求めてこれを補間読取サンプル値系列として得る補間手段と、前記補間読取サンプル値系列を所定の振幅制限値にて制限して振幅制限読取サンプル値系列を得る振幅制限手段と、前記振幅制限読取サンプル値系列をフィルタリング処理するフィルタと、を備える。
又、請求項２６記載による記録情報再生装置は、記録媒体から記録情報の再生を行う記録情報再生装置であって、前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、前記波形等化器は、前記読取信号をチャンネルクロック信号の各クロックタイミングに応じてサンプリングして読取サンプル値系列を得るＡ／Ｄ変換器と、前記読取サンプル値系列に対して前記クロックタイミング各々の中間タイミングにて前記読取信号をサンプリングした場合に得られる読取サンプル値系列を補間して補間読取サンプル値系列を得る補間手段と、前記補間読取サンプル値系列を所定の振幅制限値にて制限して振幅制限読取サンプル値系列を得る振幅制限手段と、前記振幅制限読取サンプル値系列をフィルタリング処理するフィルタと、前記フィルタによってフィルタリング処理して得られた信号に前記読取サンプル値系列を加算したものを前記等化補正読取信号として得る加算器と、を備える。
【００１４】
【発明の実施の形態】
以下、本発明の実施例について説明する。
図４は、本発明による波形等化器を備えた記録情報再生装置の構成を示す図である。
図４において、ピックアップ１は、最短のランレングスが２Ｔとなる例えば（１，７）変調方式によって変調記録されている情報信号を記録ディスク２から読み取って得られた読取信号をＡ／Ｄ変換器３に供給する。Ａ／Ｄ変換器３は、かかる読取信号をチャンネルクロック信号に応じたタイミングにてサンプリングし、この際得られたサンプル値の系列からなる読取サンプル値系列Ｒを波形等化器６に供給する。尚、上記チャンネルクロック信号とは、（１，７）変調された情報信号における１Ｔ分の周期を有するクロック信号のことである。すなわち、ランレングス２Ｔとは、チャンネルクロック信号におけるクロック周期の２倍の長さである。
【００１５】
波形等化器６は、読取サンプル値系列Ｒに対して高域強調を施して得た等化補正読取サンプル値系列ＲＨを情報復調回路７及びＰＬＬ（Ｐｈａｓｅ  Ｌｏｃｋｅｄ  Ｌｏｏｐ）回路８の各々に供給する。データ復調回路７は、かかる等化補正読取サンプル値系列ＲＨに対して（１，７）復調を施すことにより元の情報信号を復元し、これを再生情報信号として出力する。ＰＬＬ回路８は、上記等化補正読取サンプル値系列ＲＨに生じている位相誤差分を補正したチャンネルクロック信号を生成し、これを上記Ａ／Ｄ変換器３に供給する。
【００１６】
図５は、本発明による波形等化器６の内部構成を示す図である。
図５において、補間フィルタ６１は、上記Ａ／Ｄ変換器３から供給された読取サンプル値系列Ｒに対して補間演算を施す。かかる補間演算により、補間フィルタ６１は、記録ディスク２から読み取られた読取信号を上記チャンネルクロック信号の各クロックタイミングの中間タイミングでサンプリングした際に得られるであろうサンプル値系列を求める。そして、補間フィルタ６１は、この求めたサンプル値系列を上記読取サンプル値系列Ｒに含めて補間した補間読取サンプル値系列ＲＲを得てこれを振幅制限回路５１に供給する。
【００１７】
尚、実際の補間フィルタ６１では、その補間演算処理に、
（ｎ＋０．５）Ｔ
ｎ：偶数
Ｔ：１チャネルルクロック周期
なる時間が費やされる。そこで、以降、補間フィルタ６１による補間演算処理に、０．５・Ｔなる遅延が生じると想定して、その動作を説明する。
【００１８】
振幅制限回路５１は、かかる補間読取サンプル値系列ＲＲを振幅制限値Ｔｈ及び−Ｔｈにて振幅制限して得た振幅制限読取サンプル値系列ＲＬＩＭを高域強調フィルタ５２’に供給する。つまり、振幅制限回路５１は、補間読取サンプル値系列ＲＲにおける各読取サンプル値が上記振幅制限値−Ｔｈ〜Ｔｈなる範囲内にある場合には、この補間読取サンプル値系列ＲＲをそのまま上記振幅制限読取サンプル値系列ＲＬＩＭとして出力する。又、補間読取サンプル値系列ＲＲの各読取サンプル値が振幅制限値Ｔｈよりも大である場合には、この振幅制限値Ｔｈ自体を振幅制限読取サンプル値系列ＲＬＩＭとして出力する。一方、補間読取サンプル値系列ＲＲの各読取サンプル値が振幅制限値−Ｔｈよりも小である場合には、この振幅制限値−Ｔｈ自体を振幅制限読取サンプル値系列ＲＬＩＭとして出力する。この際、上記振幅制限値Ｔｈ及び−Ｔｈの各々は、最短のランレングス２Ｔに対応した補間読取サンプル値系列ＲＲのみが、その振幅制限に掛からないような値に設定されている。つまり、振幅制限値Ｔｈは、補間読取サンプル値系列ＲＲ中におけるランレングス２Ｔに対応した区間での最大値よりも大であり、振幅制限値−Ｔｈは、ランレングス２Ｔに対応した区間での最小値よりも小である。
【００１９】
高域強調フィルタ５２’は、単位遅延素子ＦＤ１〜ＦＤ３と、係数乗算器Ｍ１、Ｍ２、Ｍ３及びＭ４と、これら係数乗算器各々の出力を加算する加算器ＡＤとから構成される。単位遅延素子ＦＤ１〜ＦＤ３は、夫々、入力された値を上記チャンネルクロックの１クロック周期分だけ遅延させてから出力する。係数乗算器Ｍ１、Ｍ２、Ｍ３及びＭ４は、夫々が乗算係数［−ｋ、ｋ、ｋ、−ｋ］を有する係数乗算器である。すなわち、高域強調フィルタ５２’は、タップ係数が［−ｋ、ｋ、ｋ、−ｋ］なるトランスバーサルフィルタである。かかる構成により、高域強調フィルタ５２’は、上記振幅制限読取サンプル値系列ＲＬＩＭ中におけるランレングス２Ｔに対応したサンプル系列に対してのみ、そのレベルを増大させた高域強調読取サンプル値系列を生成し、これを加算器５４に供給する。加算器５４は、かかる高域強調読取サンプル値系列と、遅延素子５３によってチャンネルクロックの２周期分だけ遅延してから供給された上記読取サンプル値系列Ｒとを加算し、その加算結果を等化補正読取サンプル値系列ＲＨとして出力する。
【００２０】
次に、上記波形等化器６の動作について図６を参照しつつ説明する。
尚、図６に示される白丸点は読取サンプル値系列Ｒ中における各読取サンプルを示し、黒丸点は補間フィルタ６１によって得られた補間読取サンプル値系列ＲＲ中における補間読取サンプルを示す。尚、図６においては、ランレングス２Ｔ〜４Ｔの各場合において、これら読取サンプル値系列Ｒ中における読取サンプル、並びに補間読取サンプル値系列ＲＲ中における補間読取サンプルを夫々示すものである。
【００２１】
図６に示されるように、振幅制限回路５１における振幅制限値Ｔｈ及び−Ｔｈ各々は、最短のランレングス２Ｔに対応した補間読取サンプル値系列ＲＲのみが、その振幅制限に掛からないような値に設定されている。よって、図６中の（ａ）に示されるように、ランレングスが２Ｔである場合には、補間読取サンプル値系列ＲＲがそのまま振幅制限読取サンプル値系列ＲＬＩＭとして高域強調フィルタ５２’に供給される。一方、ランレングスが３Ｔ以上である場合には、ゼロクロス時点Ｄ０近傍に限り補間読取サンプル値系列ＲＲが振幅制限値−Ｔｈ〜Ｔｈなる範囲内に入っているが、それ以外の時点ではこの範囲を超えている。よって、ランレングスが３Ｔ以上である場合には図６中の（ｂ）に示されるように、上記ゼロクロス時点Ｄ０以外の時点ではその値が振幅制限値−Ｔｈ又はＴｈに固定された振幅制限読取サンプル値系列ＲＬＩＭが高域強調フィルタ５２’に供給される。
【００２２】
従って、高域強調フィルタ５２’は、図６に示されるが如き振幅制限読取サンプル値系列ＲＬＩＭ中における時点Ｄ−１．５、Ｄ−０．５、Ｄ０．５、及びＤ１．５各々での振幅制限読取サンプル値に基づいて、時点Ｄ０での等化補正読取サンプル値を求める。
すなわち、時点Ｄ０での等化補正読取サンプル値をＺ０とした場合、
Ｚ０＝（−ｋ）・Ｙ−１．５＋ｋ・Ｙ−０．５＋ｋ・Ｙ０．５＋（−ｋ）・Ｙ１．５
Ｙ−１．５：ＲＬＩＭ中における時点Ｄ−１．５での振幅制限読取サンプル値
Ｙ−０．５：ＲＬＩＭ中における時点Ｄ−０．５での振幅制限読取サンプル値
Ｙ０．５：ＲＬＩＭ中における時点Ｄ０．５での振幅制限読取サンプル値
Ｙ１．５：ＲＬＩＭ中における時点Ｄ１．５での振幅制限読取サンプル値
となる。
【００２３】
この際、図６に示されるように、ランレングス２Ｔに対応した時点Ｄ−１．５及びＤ−０．５（又は時点Ｄ０．５及びＤ１．５）各々での振幅制限読取サンプル値は互いに略同一となる。更に、ランレングスが３Ｔ以上である場合における時点Ｄ−１．５及び時点Ｄ−０．５（又は時点Ｄ０．５及びＤ１．５）各々での振幅制限読取サンプル値も、共に振幅制限値−Ｔｈ（又はＴｈ）にて固定となる為、互いに同一となる。よって、高域強調を強く掛けるべく高域強調フィルタ５２’のタップ係数ｋの値を大きくしても、ゼロクロス時点Ｄ０での等化補正読取サンプル値系列ＲＨの値は一定値を維持するので、符号間干渉の増大は起こらない。
【００２４】
以上の如く、図５に示す波形等化器においては、先ず、読取サンプル値系列Ｒを、そのチャンネルクロック信号の中間タイミングで補間して補間読取サンプル値系列ＲＲを得る。次に、この補間読取サンプル値系列ＲＲに対して振幅制御処理を施して振幅制限読取サンプル値系列ＲＬＩＭを得る。そして、高域強調フィルタ５２’において、上記振幅制限読取サンプル値系列ＲＬＩＭにおける連続した４つの時点各々での振幅制限読取サンプル値同士を係数乗算器Ｍ１〜Ｍ４にて夫々重み付け加算する。ここで、読取サンプル値系列Ｒをチャンネルクロック信号の２クロック周期分だけ遅延させることにより上記４つの時点の中間時点に対応した読取サンプル値を得て、これを上記重み付け加算結果と加算することにより等化補正読取サンプル値系列ＲＨを求めるようにしたのである。
【００２５】
しかしながら、上記高域強調フィルタ５２’内において重み付け加算する振幅制限読取サンプル値の数は４つに限らず、２以上の偶数個であれば、目標とするフィルタ特性に応じて適宜変更可能なものである。この際、重み付け加算する振幅制限読取サンプル値の数をＮ個とした場合、上記読取サンプル値系列Ｒを遅延素子５３にてチャンネルクロック信号の（Ｎ／２）倍のクロック周期分だけ遅延させれば、これらＮ個の振幅制限読取サンプル値の中間時点に対応した読取サンプル値が得られる。
【００２６】
図７は、本発明による波形等化器６の他の構成例を示す図である。
図７において、２倍オーバーサンプリング回路６２は、Ａ／Ｄ変換器３から供給された読取サンプル値系列Ｒに対して２倍オーバーサンプリング処理を施す。かかる処理により、２倍オーバーサンプリング回路６２は、記録ディスク２から読み取られた読取信号を、上記チャンネルクロック信号の２倍のクロック周波数のクロック信号でサンプリングした際に得られるであろうサンプル値系列を求める。そして、２倍オーバーサンプリング回路６２は、かかるサンプル値系列を補間読取サンプル値系列ＲＲとして振幅制限回路５１に供給する。
【００２７】
振幅制限回路５１は、かかる補間読取サンプル値系列ＲＲを振幅制限値Ｔｈ及び−Ｔｈにて振幅制限して得た振幅制限読取サンプル値系列ＲＬＩＭを高域強調フィルタ６３に供給する。つまり、振幅制限回路５１は、補間読取サンプル値系列ＲＲにおける各読取サンプル値が上記振幅制限値Ｔｈよりも小であり、かつ振幅制限値−Ｔｈよりも大である場合には、この補間読取サンプル値系列ＲＲをそのまま上記振幅制限読取サンプル値系列ＲＬＩＭとして出力する。又、補間読取サンプル値系列ＲＲの各読取サンプル値が振幅制限値Ｔｈよりも大である場合には、この振幅制限値Ｔｈ自体を振幅制限読取サンプル値系列ＲＬＩＭとして出力する。一方、補間読取サンプル値系列ＲＲの各読取サンプル値が振幅制限値−Ｔｈよりも小である場合には、この振幅制限値−Ｔｈ自体を振幅制限読取サンプル値系列ＲＬＩＭとして出力する。この際、上記振幅制限値Ｔｈ及び−Ｔｈの各々は、最短のランレングス２Ｔに対応した補間読取サンプル値系列ＲＲのみが、その振幅制限に掛からないような値に設定されている。
【００２８】
高域強調フィルタ６３は、図７に示されるが如き遅延素子ＦＦＤ１〜ＦＦＤ３と、係数乗算器Ｍ１、Ｍ２、Ｍ３及びＭ４と、これら係数乗算器各々の出力を加算する加算器ＡＤとから構成される。遅延素子ＦＦＤ１〜ＦＦＤ３の各々は、入力された値を上記チャンネルクロック信号の２倍の周波数のクロックタイミングで順次取り込み、これを上記チャンネルクロック信号の１周期分だけ遅延させて出力する。係数乗算器Ｍ１、Ｍ２、Ｍ３及びＭ４は、夫々が乗算係数［−ｋ、ｋ、ｋ、−ｋ］を有する係数乗算器である。すなわち、高域強調フィルタ６３は、タップ係数が［−ｋ、０、ｋ、０、ｋ、０、−ｋ］なるトランスバーサルフィルタである。
【００２９】
かかる構成により、高域強調フィルタ６３は、上記振幅制限読取サンプル値系列ＲＬＩＭ中におけるランレングス２Ｔに対応したサンプル系列に対してのみそのレベルを増大させた高域強調読取サンプル値系列を生成し、これを加算器５４に供給する。加算器５４は、かかる高域強調読取サンプル値系列と、遅延素子６４によってチャンネルクロックの３周期分だけ遅延してから供給された上記補間読取サンプル値系列ＲＲとを加算し、その加算結果を等化補正読取サンプル値系列ＲＨとして出力する。
【００３０】
次に、図７に示される波形等化器６の動作について図８を参照しつつ説明する。
尚、図８に示される白丸点は、２倍オーバーサンプリング回路６２から出力された補間読取サンプル値系列ＲＲ中における各サンプル値を、ランレングス２Ｔ〜４Ｔ各々の場合において示すものである。
【００３１】
図８に示されるように、振幅制限回路５１における振幅制限値Ｔｈ及び−Ｔｈの各々は、最短のランレングス２Ｔに対応した補間読取サンプル値系列ＲＲのみが、その振幅制限に掛からないような値に設定されている。よって、図８中の（ａ）に示されるように、ランレングスが２Ｔである場合には、補間読取サンプル値系列ＲＲがそのまま振幅制限読取サンプル値系列ＲＬＩＭとして高域強調フィルタ６３に供給される。一方、ランレングスが３Ｔ以上である場合には、ゼロクロス時点Ｄ０近傍では振幅制限値−Ｔｈ〜Ｔｈなる範囲内に入っているが、それ以外の時点ではこの範囲を超えている。よって、ランレングスが３Ｔ以上である場合には、図８中の（ｂ）に示されるように、上記ゼロクロス時点Ｄ０近傍以外の時点ではその値が振幅制限値−Ｔｈ又はＴｈに固定された振幅制限読取サンプル値系列ＲＬＩＭが、高域強調フィルタ６３に供給される。
【００３２】
この際、高域強調フィルタ６３は、図８に示されるが如き振幅制限読取サンプル値系列ＲＬＩＭ中における時点Ｄ−１．５、Ｄ−０．５、Ｄ０．５、及びＤ１．５各々での振幅制限読取サンプル値に基づいて、時点Ｄ０での等化補正読取サンプル値を求める。
すなわち、時点Ｄ０での等化補正読取サンプル値をＺ０とした場合、
Ｚ０＝（−ｋ）・Ｙ−１．５＋ｋ・Ｙ−０．５＋ｋ・Ｙ０．５＋（−ｋ）・Ｙ１．５
Ｙ−１．５：ＲＬＩＭ中における時点Ｄ−１．５での振幅制限読取サンプル値
Ｙ−０．５：ＲＬＩＭ中における時点Ｄ−０．５での振幅制限読取サンプル値
Ｙ０．５：ＲＬＩＭ中における時点Ｄ０．５での振幅制限読取サンプル値
Ｙ１．５：ＲＬＩＭ中における時点Ｄ１．５での振幅制限読取サンプル値
となる。
【００３３】
この際、図８に示されるように、ランレングス２Ｔに対応した時点Ｄ−１．５及びＤ−０．５（又は時点Ｄ０．５及びＤ１．５）各々での振幅制限読取サンプル値は互いに略同一となる。更に、３Ｔ以上のランレングスに対応した時点Ｄ−１．５及び時点Ｄ−０．５（又は時点Ｄ０．５及びＤ１．５）各々での振幅制限読取サンプル値も共に振幅制限値−Ｔｈ（又はＴｈ）にて固定となる為、互いに同一となる。
【００３４】
よって、例え、高域強調フィルタ６３において高域強調を強く掛けるべくそのタップ係数ｋの値を大きく設定しても、ゼロクロス時点Ｄ０での等化補正読取サンプル値系列ＲＨは一定値を維持するので、符号間干渉の増大は起こらない。
尚、図７に示される実施例においては、２倍オーバーサンプリング回路６２により、Ａ／Ｄ変換器３から供給された読取サンプル値系列Ｒに対して２倍オーバーサンプリング処理を施しているが、かかる構成に限定されるものではない。例えば、上記２倍オーバーサンプリング回路６２を用いる代わりに、Ａ／Ｄ変換器３の段階において、上記チャンネルクロック信号の２倍の周波数を有するクロック信号で読取信号に対するサンプリングを行うようにしても良いのである。
【００３５】
又、図５又は図７に示される波形等化器においては、高域強調フィルタ５２’（又は６３）における中央タップに相当するサンプル値系列を遅延素子５３（又は６４）を介して加算器５４に供給している。つまり、高域強調フィルタ５２’（又は６３）における中央タップに相当するサンプル値系列のみを、上記振幅制限回路５１による振幅制限をかけずに、等化補正読取サンプル値系列ＲＨに反映させているのである。しかしながら、この中央タップに相当するサンプル値系列に対しても上記振幅制限回路５１による振幅制限を掛けるようにしても良い。
【００３６】
図９及び図１０は、かかる点に鑑みて為された波形等化器の変形例を示す図である。尚、図９は、図５に示される波形等化器の変形例を示す図であり、図１０は、図７に示される波形等化器の変形例を示す図である。
又、図７及び図１０に示される高域強調フィルタ６３では、そのフィルタ内において、上述した如き中央タップに相当するサンプル値系列を取得することが可能である。
【００３７】
図１１は、かかる点に鑑みて為された、図７及び図１０に示される波形等化器の変形例を示す図である。
図１１に示される高域強調フィルタ６３’では、図７及び図１０に示される高域強調フィルタ６３の遅延素子ＦＦＤ２を２段の遅延素子ＦＦＤ２Ａと、ＦＦＤ２Ｂとに分割し、遅延素子ＦＦＤ２Ａの出力を加算器ＡＤに供給するようにしている。この際、遅延素子ＦＦＤ２Ａ及びＦＦＤ２Ｂの各々は、入力された値を上記チャンネルクロック信号の２倍の周波数のクロックタイミングで取り込んで、これを次段に供給する遅延素子である。かかる構成によれば、上述した如き中央タップに相当するサンプル値系列が遅延素子ＦＦＤ２Ａから取り出され、これが加算器ＡＤに直接供給されることになる。従って、図１１に示される構成によれば、図７及び図１０に示されるような遅延素子６４及び加算器５４を用いずとも、中央タップに相当するサンプル値系列を等化補正読取サンプル値系列ＲＨに反映させることができる。
【００３８】
又、図５に示される波形等化器では、高域強調フィルタ５２’における中央タップに相当するサンプル値系列のみは、補間フィルタ６１による補間処理を実施していないが、この中央タップに相当するサンプル値系列のみに補間フィルタ６１による補間処理を実施するようにしても良い。
図１２は、かかる点に鑑みて為された波形等化器の他の変形例を示す図である。
【００３９】
尚、図１２に示す補間フィルタ６１、振幅制限回路５１、高域強調フィルタ５２’及び加算器５４各々の単体での機能は、図５に示すものと同一である。
図１２において、補間フィルタ６１は、上記Ａ／Ｄ変換器３から供給された読取サンプル値系列Ｒに対して前述した如き補間演算処理を施して得た補間読取サンプル値系列を遅延素子５３’に供給する。尚、補間フィルタ６１は、その補間演算処理に、上記チャンネルクロックの０．５周期分の時間を費やす。遅延素子５３’は、補間フィルタ６１から供給された補間読取サンプル値系列を上記チャンネルクロックの１周期分だけ遅延してから加算器５４に供給する。一方、振幅制限回路５１は、上記Ａ／Ｄ変換器３から供給された読取サンプル値系列Ｒに対して振幅制限値Ｔｈ及び−Ｔｈにて振幅制限して得た振幅制限読取サンプル値系列ＲＬＩＭを高域強調フィルタ５２’に供給する。高域強調フィルタ５２’は、振幅制限読取サンプル値系列ＲＬＩＭ中におけるランレングス２Ｔに対応したサンプル系列に対してのみ、そのレベルを増大させた高域強調読取サンプル値系列を生成し、これを加算器５４に供給する。加算器５４は、かかる高域強調読取サンプル値系列と、遅延素子５３’によってチャンネルクロックの１周期分だけ遅延してから供給された補間読取サンプル値系列とを加算し、その加算結果を等化補正読取サンプル値系列ＲＨとして出力する。
【００４０】
以上の如く、図１２に示す波形等化器においては、先ず、読取サンプル値系列Ｒに対して振幅制御処理を施して振幅制限読取サンプル値系列ＲＬＩＭを得る。そして、高域強調フィルタ５２’において、上記振幅制限読取サンプル値系列ＲＬＩＭにおける連続した４つの時点各々での振幅制限読取サンプル値同士を係数乗算器Ｍ１〜Ｍ４にて夫々重み付け加算する。この間、読取サンプル値系列Ｒを、そのチャンネルクロック信号の中間タイミングで補間した補間読取サンプル値系列を求める。そして、かかる補間読取サンプル値系列をチャンネルクロック信号の１クロック周期分だけ遅延させることにより上記４つの時点の中間時点に対応した読取サンプル値を得て、これを上記重み付け加算結果に加算することにより等化補正読取サンプル値系列ＲＨを求めるのである。
【００４１】
この際、図１２に示す波形等化器では、重み付け加算する振幅制限読取サンプル値の数をＮ個とすると、上記補間読取サンプル値系列を遅延素子５３’にてチャンネルクロック信号の（Ｎ／２−１）倍のクロック周期分だけ遅延させれば、これらＮ個の振幅制限読取サンプル値の中間時点に対応した読取サンプル値が得られる。
【００４２】
又、図１２に示す波形等化器においては、高域強調フィルタ５２’の中央タップに相当するサンプル値系列、つまり、重み付け加算される４つの振幅制限読取サンプル値の中間時点に対応したサンプル値系列にだけは振幅制限をかけないようにしている。しかしながら、図１２に代わり図１３に示す如き構成を採用して、高域強調フィルタ５２’の中央タップに相当するサンプル値系列に対しても上記振幅制限回路５１による振幅制限を掛けるようにしても良い。
【００４３】
又、上記実施例においては、記録媒体から記録情報の再生を行う情報再生装置に本発明による波形等化器を適用した場合について述べたが、その適用は情報再生装置に限定されない。要するに、高域が減衰する特性を有する伝送系であれば、本発明による波形等化器を搭載することにより、符号間干渉の増大を招くことなく高域強調を掛けることが可能となるのである。
【００４４】
又、上記高域強調フィルタでは、振幅制限読取サンプル値系列ＲＬＩＭ中における４つの時点Ｄ各々での振幅制限読取サンプル値同士を係数乗算器Ｍ１〜Ｍ４にて夫々重み付け加算しているが、重み付け加算する振幅制限読取サンプル値の数は、最低２つあれば良い。更に、本発明による波形等化器６を構築する各機能モジュール（振幅制限回路５１、高域強調フィルタ５２’、加算器５４、遅延素子５３、６４、補間フィルタ６１、及び２倍オーバーサンプリング回路６２）としては、アナログ信号処理回路、又はディジタル信号処理回路のいずれで実現しても構わない。
【００４５】
要するに、振幅制限読取信号(ＲLIM)における少なくとも連続した２時点での信号レベル同士の重み付け加算結果に、両者の中間時点で得られる読取信号を加算したものを等化補正読取信号(ＲH)として出力する構成であれば良いのである。
【００４６】
【発明の効果】
以上詳述した如く、本発明においては、先ず、読取信号をチャンネルクロックのタイミングでサンプリングして得た読取サンプル値系列に基づき、このチャンネルクロックの中間のクロックタイミングでサンプリングした際に得られるであろう補間読取サンプル値系列を求める。そして、かかる補間読取サンプル値系列に振幅制限処理を施した振幅制限読取サンプル値系列中のサンプル値同士を夫々重み付け加算した加算結果を、等化補正読取サンプル値系列として生成するようにしている。
【００４７】
よって、本発明によれば、読取信号の最短ランレングスがチャンネルクロック信号におけるクロック周期の２倍以下であっても、符号間干渉を増大させることなく、高域強調を掛けることが可能となる。
【図面の簡単な説明】
【図１】波形等化器５を備えた記録情報再生装置の構成を示す図である。
【図２】８／１６変調記録されている情報信号を読み取った際に得られる読取サンプル値系列Ｒと、波形等化器５によって得られる振幅制限読取サンプル値系列ＲＬＩＭとを示す図である。
【図３】（１、７）変調記録されている情報信号を読み取った際に得られる読取サンプル値系列Ｒと、波形等化器５によって得られる振幅制限読取サンプル値系列ＲＬＩＭとを示す図である。
【図４】本発明による波形等化器６を備えた記録情報再生装置の構成を示す図である。
【図５】本発明による波形等化器６の内部構成の一例を示す図である。
【図６】（１、７）変調記録されている情報信号を読み取った際に得られる読取サンプル値系列Ｒと、本発明による波形等化器６によって得られる振幅制限読取サンプル値系列ＲＬＩＭとを示す図である。
【図７】本発明による波形等化器６の他の一例を示す図である。
【図８】（１、７）変調記録されている情報信号を読み取った際に得られる読取サンプル値系列Ｒと、図７に示される波形等化器６によって得られる振幅制限読取サンプル値系列ＲＬＩＭとを示す図である。
【図９】図５に示される波形等化器６の変形例を示す図である。
【図１０】図７に示される波形等化器６の変形例を示す図である。
【図１１】図７及び図１０に示される波形等化器６の変形例を示す図である。
【図１２】図５に示される波形等化器６の変形例を示す図である。
【図１３】図１２に示される波形等化器６の変形例を示す図である。
【主要部分の符号の説明】
６  波形等化器
５１  振幅制限回路
５２’，６３，６３’  高域強調フィルタ
６１  補間フィルタ
６２  ２倍オーバーサンプリング回路
【図１】
0003589405.tif 000002
【図２】
0003589405.tif 000003
【図３】
0003589405.tif 000004
【図４】
0003589405.tif 000005
【図５】
0003589405.tif 000006
【図６】
0003589405.tif 000007
【図７】
0003589405.tif 000008
【図８】
0003589405.tif 000009
【図９】
0003589405.tif 000010
【図１０】
0003589405.tif 000011
【図１１】
0003589405.tif 000012
【図１２】
0003589405.tif 000013
【図１３】
0003589405.tif 000014